(57)【要約】【課題】  デジタルカメラに設けられたLCDと操作スイッチを使う方が視認性と操作性が優れている場合と、記録装置に設けられたLCDと操作スイッチを使う方が視認性と操作性が優れている場合とがある。【解決手段】  デジタルカメラと記録装置を双方向通信により接続し、デジタルカメラで撮影した画像を記録装置で直接印刷する際に、デジタルカメラに設けられた表示装置と操作部、または記録装置に設けられた表示装置と操作部を、使用者が任意に選択できるようにした。【選択図】  図１
2006159553.tif 000002
【特許請求の範囲】
【請求項１】
撮影した画像や指令情報等を表示する表示手段と、前記表示手段を制御する制御手段と、前記各種指令情報を入力する入力手段と、前記画像を記憶する記憶手段と、前記画像及び各種指令情報の通信を行う通信手段と、を備えたデジタルカメラと、
前記デジタルカメラによって撮影した画像や指令情報などを表示する表示手段と、前記表示手段を制御する制御手段と、前記各種指令情報を入力する入力手段と、前記画像及び各種指令情報の通信を行う通信手段と、を備えた記録装置と、において、
前記デジタルカメラの入力手段を使用している場合には、前記記録装置の表示装置への電力供給を中止し、前記記録装置の入力手段を使用している場合には、前記デジタルカメラの表示装置への電力供給を中止することを特徴としたフォト記録システム。
【請求項２】
前記記録装置がインクジェット記録装置であることを特徴とした請求項１に記載のフォト記録システム。
【請求項３】
前記デジタルカメラと前記記録装置を、前記通信手段にて接続した際に、初期状態として前記記録装置の表示装置に表示し、前期デジタルカメラの表示装置への電力供給を中止することを特徴とした請求項１に記載のフォト記録システム。
【請求項４】
前記デジタルカメラの入力手段の使用と、前記記録装置の入力手段の使用を任意で切り替えるための手段を、前記デジタルカメラか前記記録装置の少なくとも一方に設けたことを特徴とした請求項１に記載のフォト記録システム。
【請求項５】
前記デジタルカメラと前記記録装置を、前記通信手段にて接続している最中に、前記デジタルカメラまたは前記記録装置にエラーが発生したときに、前記デジタルカメラの表示装置と前記記録装置の表示装置の両方にエラー表示を行うことを特徴とした請求項１に記載のフォト記録システム。
【請求項６】
前記デジタルカメラと前記記録装置を、前記通信手段にて接続した際に、前記デジタルカメラの接続履歴とともに、前回の各種設定を前記デジタルカメラまたは前記記録装置に記憶し、かつ前記デジタルカメラの個体情報と関連付けて記憶することを特徴とした請求項１に記載のフォト記録システム。
【発明の詳細な説明】
【技術分野】
【０００１】
本発明は、デジタルカメラによって撮影された画像をパーソナルコンピュータを介さずに取り込んで印刷するフォト記録システムに関する。
【背景技術】
【０００２】
デジタルカメラの１つとして撮影レンズおよびCCD（Charge  Coupled  Device：固体撮像素子）と、撮影時におけるビューファインダーまたは撮影済み画像を表示するモニター兼用のLCD（Liquid  Crystal  Display：液晶表示装置）を備えたものが一般的になりつつある。
【０００３】
このようなデジタルカメラで撮影した画像を記録装置によって印刷する手順を簡略化する方法としてパーソナルコンピュータを介さずにデジタルカメラで撮影した画像を記録装置で印刷する形態があり次にその一例を示す。
【０００４】
デジタルカメラで撮影した画像をデジタルカメラ内の記憶装置に記憶し、その記憶装置が媒体としてデジタルカメラから取り出せ、その媒体を記録装置に設けられた記憶媒体挿入装置に装着することで、パーソナルコンピュータを介さずに画像データを記録装置に取り込むことを可能としたものがある。また、記録装置に操作スイッチと表示装置としてLCDとを備えることで画像処理や画像の確認、印刷の決定を行うことができるようにしたものもある。
【０００５】
またさらに以上の手順を簡略化する方法としては次のような例がある。
【０００６】
デジタルカメラと記録装置を専用または汎用の接続線を用いて接続し、その接続線を介してデジタルカメラに記憶された画像データを記録装置に直接取り込むことを可能とすることで、より簡単にデジタルカメラの画像を記録装置にて印刷できるようにしたものもある（例えば、特許文献１参照）。
【特許文献１】特開２００３−１０３８８３号
【発明の開示】
【発明が解決しようとする課題】
【０００７】
しかしながら上記従来例においては以下のような問題点があった。
【０００８】
デジタルカメラで撮影した画像を記録装置で直接印刷する際に、デジタルカメラに設けられているLCDを用いて印刷に必要な情報を表示させ、印刷時に必要な操作はデジタルカメラに設けられている操作スイッチを用いて行うものがあるが、デジタルカメラは携帯性の点で大きさや重さの制約があり、デジタルカメラに設けられているLCDや操作スイッチは小さいものになりがちで、また操作スイッチにおいては１つのスイッチに複数の機能を持たせたりしている場合があるので、視認性と操作性は必ずしもよいものとは言えない場合があった。
【０００９】
それを解決すべく記録装置にLCDと操作スイッチを別途設けているものもある。記録装置は一般に据え置きで使用するので大きさや重さの制約が少ない。そのためにデジタルカメラのLCDより大きいLCDを記録装置に設けて視認性をよくしたり、１つのスイッチに複数の機能を持たせることなく操作性のよい操作スイッチを記録装置に設けたりしているものがある。
【００１０】
しかし、上記の場合においても記録装置を設置する場所によっては次のような課題がある。例えば、記録装置を使用者の上方の棚に設置した場合である。この場合には記録装置に設けられたLCDと操作スイッチは使用者の姿勢によっては視認性が悪くなり、また操作性が悪化してしまう。
【００１１】
このように使用者の使用環境によって、デジタルカメラに設けられたLCDと操作スイッチを使う方が視認性と操作性が優れている場合と、記録装置に設けられたLCDと操作スイッチを使う方が視認性と操作性が優れている場合とがある。
【課題を解決するための手段】
【００１２】
本発明は以上のような問題に鑑みてなされたものであり、デジタルカメラに表示装置と操作部、記録装置に表示装置と操作部がそれぞれ設けられ、デジタルカメラと記録装置を双方向通信により接続し、デジタルカメラで撮影した画像を記録装置で直接印刷する際に、デジタルカメラに設けられた表示装置と操作部、または記録装置に設けられた表示装置と操作部を、使用者が任意に選択できるようにしたことで、使用者の好みまたは使用者の使用環境に合わせて最適の視認性と操作性を備えたフォト記録システムを提供することを目的とする。
【００１３】
また通常デジタルカメラは内蔵のバッテリーにより電力を得ているので、デジタルカメラと記録装置を接続した際に、記録装置側の表示部と操作部の使用を初期設定とすることで、デジタルカメラに内蔵されたバッテリーの電力を節約できるフォト記録システムを提供することを目的とする。
【発明の効果】
【００１４】
以上の説明のように、本発明においては以下のような効果が得られる。
【００１５】
デジタルカメラに設けられた表示装置と操作部、記録装置に設けられた表示装置と操作部において、それぞれの表示装置と操作部を使用者が任意に選択できるようにすることで、使用者の好みまたは使用者の使用環境に合わせて最適の視認性と操作性を提供することができる。
【００１６】
また通常デジタルカメラは内蔵のバッテリーにより電力を得ているので、デジタルカメラと記録装置を接続した際に、記録装置側の表示部と操作部の使用を初期設定とすることで、デジタルカメラに内蔵されたバッテリーの電力を節約できる。
【発明を実施するための最良の形態】
【００１７】
以下、図面を参照して本発明を具体的に説明する。
【００１８】
図１はインクジェット記録装置とデジタルカメラを接続線により接続した状態の全体図である。１はインクジェット記録装置、１１はインクジェット記録装置１に設けられたLCDなどの表示装置、１２はインクジェット記録装置１に設けられた操作部、１３はカバー、２はデジタルカメラ、２１はデジタルカメラ２に設けられたLCDなどの表示装置、２２はデジタルカメラ２に設けられた操作部、３はインクジェット記録装置１とデジタルカメラ２の間で双方向通信を行う接続線である。
【００１９】
図２はインクジェット記録装置１に設けられた表示装置１１及び操作部１２の拡大図である。１２１は印刷開始ボタン、１２２は印刷中止ボタン、１２３はモード選択ボタンで、それぞれ１２３ａは印刷設定モードボタン、１２３ｂはレイアウトモードボタン、１２３ｃは画像データモードボタン、１２３ｄはメンテナンスモードボタンである。１２４は十字ボタンで、それぞれ１２４ａは上ボタン、１２４ｂは下ボタン、１２４ｃは左ボタン、１２４ｄは右ボタンである。
【００２０】
図３はデジタルカメラ２に設けられた表示装置２１及び操作部２２の拡大図である。２２１は決定ボタン、２２２は取り消しボタン、２２３はモード選択ボタン、２２４は十字ボタンで、それぞれ２２４ａは上ボタン、２２４ｂは下ボタン、２２４ｃは左ボタン、２２４ｄは右ボタン、また２３はシャッターボタン、２４はファインダである。
【００２１】
図４は表示装置１１または表示装置２１における、印刷設定モードの表示内容例を示した図である。
【００２２】
図５は表示装置１１または表示装置２１における、１枚画像選択時のレイアウトモードの表示内容例を示した図である。
【００２３】
図６は表示装置１１または表示装置２１における、複数枚画像選択時のレイアウトモードの表示内容例を示した図である。
【００２４】
図７は表示装置１１または表示装置２１における、インデックス画像選択時のレイアウトモードの表示内容例を示した図である。
【００２５】
図８は表示装置１１または表示装置２１における、画像情報モード時の表示内容例を示した図である。
【００２６】
図９は表示装置１１または表示装置２１における、インクジェット記録装置１のエラー発生時の表示内容例を示した図である。
【００２７】
図１０は表示装置１１または表示装置２１における、デジタルカメラ２のエラー発生時の表示内容例を示した図である。
【００２８】
次から撮影済みのデジタルカメラとインクジェット記録装置を双方向通信によって接続して印刷する場合の手順の例を説明する。
【００２９】
図１のように、撮影済みのデジタルカメラ２を接続線３を介してインクジェット記録装置１と接続する。
【００３０】
この時、接続線３を用いるのではなく、無線による接続、例えばIEEE802.11規格やBlue tooth規格、IrDA規格等を利用して接続しても本発明の効果を得ることができる。
【００３１】
次に図４または図５のように、印刷設定表示またはデジタルカメラ２で撮影済みの画像が表示装置１１または表示装置２１に表示される。
【００３２】
この時、デジタルカメラ２に内蔵された図示しないバッテリーからデジタルカメラ２へ電力供給がなされている場合には、バッテリーの電力を節約する為に、初期表示はインクジェット記録装置１の表示部１１にすることが望ましい。
【００３３】
また、この電力供給を利用して、インクジェット記録装置１とデジタルカメラ２を接続させると、自動でデジタルカメラ２のバッテリーを充電させてもよい。
【００３４】
また、表示装置１１は使用者が後付けでインクジェット記録装置１に装着する形態でもよい。この時、表示装置１１をインクジェット記録装置１に装着する前では、当然デジタルカメラ２の表示装置２１に初期表示される。
【００３５】
次に、インクジェット記録装置１の表示装置１１及び操作部１２と、デジタルカメラ２の表示装置２１及び操作部２２とで、使用者にとって使い勝手がよいと思われる方の操作を使用者は選択する。初期表示された側と使用者が使いたい側が一致している場合には、使用者はそのまま使いたい側の操作部での操作を続けることができる。初期表示された側と使用者が使いたい側が一致していない場合には、使用者が使いたい側の操作部、つまり初期表示されていない側の操作部の任意のボタンを押すことにより、表示が切り替わり使用者が使いたい側の表示装置が表示される。この時、インクジェット記録装置１またはデジタルカメラ２に図示しない切り替えスイッチを設けてもよく、この場合には切り替えスイッチによって指定されている側に初期表示される。
【００３６】
次に、使用者は表示装置１１または表示装置２１に表示された図４のような印刷設定表示によって印刷設定を行う。ここではインクジェット記録装置１の操作部１２の使用を使用者が選択した場合について説明する。
【００３７】
表示装置１１に表示される印刷設定表示は例えば図４のように、印刷する画像指定、印刷枚数、印刷する用紙種類、印刷するレイアウト、印刷品位、日付印刷有無、画像補正有無、などが表示される。使用者は表示される内容に従って、十字ボタン１２４を用いて設定を順に行う。また印刷レイアウトイメージを確認する必要がある場合には、モード選択ボタン１２３のレイアウトモードボタン１２３ｂを押すことで表示装置１１の表示は図５、図６または図７のような表示に切り替わる。この時、右ボタン１２４ｄを押すと選択画像が順送りされ、左ボタン１２４ｃを押すと逆順送りされてもよい。さらに、上ボタン１２４ａと下ボタン１２４ｂを用いて印刷レイアウトの変更ができてもよい。または上ボタン１２４ａと下ボタン１２４ｂを用いて画像の選択、右ボタン１２４ｄと左ボタン１２４ｃを用いて印刷レイアウトの変更ができてもよい。
【００３８】
次に、モード選択ボタン１２３のうちの画像データモードボタン１２３ｃを押すと表示装置１１には図８のように選択された画像データの各種情報を表示する。例えば、選択した画像のファイル名、撮影したデジタルカメラの機種名、撮影した日時、撮影した撮影モード、シャッター速度、絞り数値、ストロボの有無、画像の大きさ、容量、印刷指定の有無、画像の明るさを表すヒストグラム等の情報を表示する。
【００３９】
印刷設定が終わった後に使用者がインクジェット記録装置１に設けられた印刷開始ボタン１２１を押し、指定された画像データがデジタルカメラ２からインクジェット記録装置１へ取り込まれて、指定された画像が印刷される。
【００４０】
印刷中は電力消費を抑える為に表示装置１１への電力供給を行わないようにしてもよい。
【００４１】
また、印刷設定中または印刷中に、インクジェット記録装置１にエラーが発生した場合には、表示部１１または表示部２１には図９のようなエラー表示が表示する。またデジタルカメラ２にエラーが発生した場合には、表示装置１１または表示装置１２には図１０のようなエラー表示が表示する。さらに、エラー表示の場合には、より明確に使用者にエラー情報を伝えるために、表示装置１１と表示装置２１に同時に同じ表示を表示させてもよい。
【００４２】
メンテナンスボタン１２３ｄのボタンを押すとインクジェット記録装置１はメンテナンスモードに切り替わり、使用者が任意でインクジェット記録装置１のメンテナンスを行うことができる。ここで言うメンテナンスとは、インクジェット記録装置１の内部にある図示しないインク吐出口のクリーニングなどである。
【００４３】
また、デジタルカメラ２の操作部２２を用いてのモード切り替えは、モード選択ボタン２２３によって行い、モード選択ボタン２２３を押すたびに、印刷設定モード、レイアウトモード、画像情報モード、メンテナンスモードを順に切り替える。これは、デジタルカメラ２の携帯性を考慮してボタンの数を減らすことで操作部２２を小さくしデジタルカメラ２本体の大きさを小さくしているためである。
【００４４】
更に、以上のように使用者が登録した印刷設定を、接続したデジタルカメラ２内部の図示しない記憶装置に記憶しておくことで、次回再び同じデジタルカメラ２をインクジェット記録装置１に接続した際に、印刷設定をデジタルカメラ２からインクジェット記録装置１に送る、またはインクジェット記録装置１からデジタルカメラ２内部の図示しない記憶装置を読み込むことで、前回の接続時と同じ印刷設定にすることが可能になり、接続のたびに同じ印刷設定を行う必要がなくなり、使用者の利便性が向上する。
【００４５】
また同様に、使用者が登録した印刷設定を接続したデジタルカメラ２の個体と関連付けて、インクジェット記録装置１内部の図示しない記憶装置に記憶しておくことで、１台のインクジェット記録装置１と複数のデジタルカメラ２の接続を行う際も、複数のデジタルカメラ２ごとに異なる印刷設定の登録が可能になり、複数の使用者で１台のインクジェット記録装置１を共有する際などの利便性が向上する。
【図面の簡単な説明】
【００４６】
【図１】本発明の全体構成を示す全体図である。
【図２】本発明の記録装置の表示装置及び操作部の拡大図である。
【図３】本発明のデジタルカメラの表示装置及び操作部の拡大図である。
【図４】本発明の印刷設定表示例の図である。
【図５】本発明の１枚画像選択時のレイアウト表示例の図である。
【図６】本発明の複数枚画像選択時のレイアウト表示例の図である。
【図７】本発明のインデックス印刷時のレイアウト表示例の図である。
【図８】本発明の画像データ表示例の図である。
【図９】本発明の記録装置のエラー表示例の図である。
【図１０】本発明のデジタルカメラのエラー表示例の図である。
【符号の説明】
【００４７】
１  インクジェット記録装置
２  デジタルカメラ
３  接続線
１１  インクジェット記録装置の表示装置
１２  インクジェット記録装置の操作部
２１  デジタルカメラの表示装置
２２  デジタルカメラの操作部
【図１】
2006159553.tif 000003
【図２】
2006159553.tif 000004
【図３】
2006159553.tif 000005
【図４】
2006159553.tif 000006
【図５】
2006159553.tif 000007
【図６】
2006159553.tif 000008
【図７】
2006159553.tif 000009
【図８】
2006159553.tif 000010
【図９】
2006159553.tif 000011
【図１０】
2006159553.tif 000012